(57)【特許請求の範囲】
【請求項１】
トップカバー、ボトムカバー、及び前記トップカバーと前記ボトムカバーとの間に挟まれるゴムパッキンを有する機器ケースと、
一端が前記機器ケース内に引き込まれるケーブルであって、複数の絶縁電線が平行に並べられ、かつ外力によって容易に分離できるように接点となる部分が一体的に接続されたケーブルと、
該ケーブルに装着され、前記複数の絶縁電線が前記外力によって分離することを防止するブッシングと、を備え、
前記ブッシングは、前記ケーブルの全周を覆うかまぼこ形状であり、その側面から上面にかけて鍔部が形成されており、
前記トップカバーには前記鍔部を受ける鍔受部が形成されており、
前記鍔部を前記鍔受部に挿入して密接させるとともに、前記ブッシングの下面を前記ゴムパッキンに密着させることによって、前記ブッシングに防水パッキンを兼ねさせるようにしたことを特徴とするアンテナ装置。
【請求項２】
前記ブッシングが合成樹脂から成ることを特徴とする請求項１のアンテナ装置。
【発明の詳細な説明】
【０００１】
【発明の属する技術分野】
本発明は、複数の絶縁電線が分離可能に一体化されているケーブルに用いられるブッシングに関し、特にそれを用いた防水構造に関する。
【０００２】
【従来の技術】
電子・電気機器同士を接続するためのケーブルとして、複数の絶縁電線を外力により容易に分離できるような状態で一体化したものがある。例えば、２本線あるいはツインケーブルと呼ばれるものは、図４（ａ）及び（ｂ）に示すように、２本の絶縁電線を並行に並べた状態で、その接点となる部分のみが互いに一体的に接続されている。
【０００３】
この種のケーブルは、接続しようとする機器と機器との間では、引き回しが容易である等の理由によって、複数の絶縁電線が一体化されたままの状態で使用される。その一方で、各機器に接続される部分、即ち、ケーブルの端部は、それが接続される端子同士が離れている等の理由により、複数の絶縁電線が互いに分離した状態にある。例えば、ツインケーブルであれば、図４（ａ）に示すように、その端部は、二股になっている。なお、図４（ａ）では、ケーブルの一方の端部にはコネクタ１００が接続されている。
【０００４】
複数の絶縁電線が分離している部分に、これら絶縁電線を互いに引き離すような外力を加えると、一体化している部分の複数の絶縁電線は容易に分離する。つまり、この種のケーブルは、外力により容易に裂けてしまう。予期せぬ外力により、ケーブルが裂けてしまうのを防止するために、従来、この種のケーブルには、その端部付近にブッシング１１０が装着されている。
【０００５】
ところで、車両等の移動体に搭載される受信装置では、移動体の外部に設置されるアンテナ装置と移動体の内部に設置される受信機とを、ケーブルにて接続する必要がある。そして、デジタルラジオ放送受信装置のように、２つのアンテナが一体化されている様な場合には、アンテナ装置と受信機との接続に複数の絶縁電線が必要になる。そこで、この様な場合には、上述した複数の絶縁電線が一体化されているケーブルが、しばしば利用されている。
【０００６】
ここで、移動体の外部に設置されるアンテナ装置は、雨曝しとなる。それゆえ、アンテナ装置に外部からのケーブルを接続する時には、その防水対策が欠かせない。従来は、機器にケーブルを引込む際の防水対策としては、機器のケースに形成されたケーブル引出口に、ゴム等の耐水性弾性体を防水用パッキンとして配置することにより行われている。
【０００７】
【発明が解決しようとする課題】
ケーブルを機器に接続する場合、その接続の機械的強度を向上させるため、単に導体部のみを固定するのみならず、ケーブル全体を機器のケース等に固定することが行われる。この固定は、ケーブルにブッシングが装着されている場合には、そのブッシングをケースに設けられた係合部に係合させることにより、行われる場合もある。
【０００８】
その一方で、屋外で使用される機器にケーブルを接続する場合は、防水用パッキンによる防水対策が実施される。これは、防水パッキンにより簡易にケーブルを位置固定していると見なすことができる。つまり、従来は、屋外で使用される機器に外部からケーブルを接続する場合、機械的強度を得るための位置固定と、防水対策に伴う位置固定とが二重に行われており、部品点数が多く、構造が複雑で、組立工程が煩雑であるという問題点がある。
【０００９】
そこで本発明は、屋外で使用される機器に接続されるケーブルに使用されるブッシングを改良し、部品点数が少なく、構造が簡単、組み立てが容易な防水構造（あるいはケーブル接続構造）を提供することを目的とする。
【００１０】
【課題を解決するための手段】
本発明によれば、トップカバー（４０）、ボトムカバー（６０）、及び前記トップカバー（４０）と前記ボトムカバー（６０）との間に挟まれるゴムパッキン（５０）を有する機器ケースと、一端が前記機器ケース内に引き込まれるケーブル（３２）であって、複数の絶縁電線（３３）が平行に並べられ、かつ外力によって容易に分離できるように接点となる部分が一体的に接続されたケーブル（３２）と、該ケーブル（３２）に装着され、前記複数の絶縁電線（３３）が前記外力によって分離することを防止するブッシング（３４）と、を備え、前記ブッシング（３４）は、前記ケーブル（３２）の全周を覆うかまぼこ形状であり、その側面から上面にかけて鍔部（３５）が形成されており、前記トップカバー（４０）には前記鍔部（３５）を受ける鍔受部（４１）が形成されており、前記鍔部（３５）を前記鍔受部（４１）に挿入して密接させるとともに、前記ブッシング（３４）の下面を前記ゴムパッキン（５０）に密着させることによって、前記ブッシング（３４）に防水パッキンを兼ねさせるようにしたことを特徴とするアンテナ装置が得られる。
【００１２】
なお、上記括弧内の符号は、本発明の理解を容易にするために付したものであり、一例にすぎず、これらに限定されないことは勿論である。
【００１３】
【発明の実施の形態】
以下、図面を参照して本発明の実施の形態について詳細に説明する。
【００１４】
まず、図１を参照して、本発明のブッシングを用いた防水構造が適用される車載用デジタルラジオ受信機のアンテナ装置について説明する。
【００１５】
図１のアンテナ装置は、円筒状のヘリカルアンテナ１０と、ヘリカルアンテナ１０の内部に収容されたモノポールアンテナ２０と、ヘリカルアンテナ１０及びモノポールアンテナ２０が固定されるフェーズシフター基板３０と、ヘリカルアンテナ１０（及びモノポールアンテナ２０）及びフェーズシフター基板３０を覆うトップカバー４０とを有している。また、このアンテナ装置は、ゴムパッキン５０、ボトムカバー６０、４個のマグネット７０、ラベル（ＰＥＴシート）８０、及び複数のネジ９０等を有している。
【００１６】
ヘリカルアンテナ１０及びモノポールアンテナ２０が固定されるフェーズシフター基板３０は、その下面に低雑音増幅装置（ＬＮＡ：Low Noise Amplifier）が搭載され、さらにシールドカバー３１が取り付けられた回路基板である。ヘリカルアンテナ１０はモノポールアンテナ２０とともにこの基板３０に固定され、ＬＮＡに電気的に接続される。そして、このフェーズシフター基板３０には、このアンテナ装置を車内に設置された受信機に接続すべく、ケーブル３２が接続されている。このケーブル３２は、トップカバー４０の下端側に形成されたケーブル用通路を通り、外部に引き出される。
【００１７】
ヘリカルアンテナ１０及びモノポールアンテナ２０をフェーズシフター基板３０に固定したアンテナアセンブリは、ヘリカルアンテナ１０の先端がトップカバー４０の円筒部の先端付近に到達するまで、トップカバー４０内に挿入される。そして、その状態で、フェーズシフター基板３０がトップカバー４０に、ネジ９０で固定される。それから、ゴムパッキン５０、ボトムカバー６０、マグネット７０及びラベル８０が、ネジ９０によりトップカバー４０の下端側に固定される。
【００１８】
以上のように構成されているアンテナ装置では、トップカバー４０とボトムカバー６０との間に存在するゴムパッキン５０が、アンテナ装置内部へ進入しようとする水の浸入を防いでいる。
【００１９】
次に、図２を参照して、本発明の一実施の形態に係るブッシングについて説明する。
【００２０】
図２（ａ）及び（ｂ）に示すように、ケーブル３２は、複数（ここでは２本）の絶縁電線３３が外力によって容易に分離するような状態で一体的に形成されたケーブルである。そして、このケーブル３２には、これら複数の絶縁電線３３が予期せぬ外力によって分離する（裂ける）のを防止するためのブッシング３４が取り付けられている。
【００２１】
通常のブッシングの断面形状は、ケーブルの外形と略相似形である長円形であることが多いが、このブッシング３４の断面は、図２（ｃ）に示すように、略かまぼこ形である。
【００２２】
また、ブッシング３４の外周面には、図２（ｃ）における下側の部分を除いて鍔部３５が形成されている。トップカバー４０に形成されているケーブル用通路は、図３（ａ）に示すように、ケーブル３２とブッシング３４にそれぞれ対応する形状となっている。そして、鍔部３５の大きさは、これららケーブル用通路の大きさに比べかなり大きいものとなっている。
【００２３】
このような、鍔部３５を備えたブッシング３４は、例えば合成樹脂や合成ゴム等を用いて一体成形により形成できる。
【００２４】
一方、トップカバー４０の内部には、図３（ｂ）に示すように、ケーブル用経路の近傍の、ブッシング３４に形成された鍔部３５に対応する位置に、凹部（鍔受部）４１が形成されている。凹部４１の幅は、実質的に鍔部３５の厚みに等しい。
【００２５】
鍔部３５をこの凹部４１に挿入し、互いに密接させることにより、ブッシング３４は、トップカバー４０に位置固定される。そして、その状態で、ブッシング３４は、防水パッキンとして機能する。
【００２６】
なお、ブッシングの鍔部３５が形成されていない側（図３（ｂ）の下側）の面には、ゴムパッキン５０が、密着するので、そこからアンテナ装置内部へ水が浸入することはない。
【００２７】
以上のようにして、本実施の形態では、ブッシング３４に形成された鍔部３５が、トップカバー４０に形成された凹部に挿入され、そこに密接するので、ケーブルの位置固定のみならず、そこの防水をも実現できる。
【００２８】
以上、発明の一実施の形態について説明したが、本発明は、上記実施の形態に限定されない。例えば、上記実施の形態では、トップカバー４０の内面に２枚の薄壁を並設し、その隙間を凹部４１としたが、１枚の厚壁を形成し、その頂上面に凹所を形成するようにしてもよい。また、上記実施の形態では、トップカバーに形成された凹部４１に、ブッシング３４に形成された鍔部３５を挿入するようにしたが、鍔部を二重構成とし、その二重鍔部でトップカバーに形成された壁を挟み込むようにしてもよい。いずれにしてもブッシングに形成された鍔部と、トップカバー４０に形成された鍔受部が相互に密接して、防水効果を発揮する構造であればよい。
【００２９】
また、上記実施の形態では、アンテナ装置にケーブルを接続する場合について説明したが、いかなる電子・電気機器にケーブルを接続する場合であっても、本発明は適用可能である。
【００３０】
【発明の効果】
本発明によれば、ケーブルの分離を防止するブッシングに鍔部を形成するとともに、機器のケースに鍔部に密接する鍔受部を設けたことにより、ケーブルの位置固定と、防水とを同一の部材で実現でき、部品点数の削減、構成の簡略化、及び組立工程の簡略化を実現することができる。
【図面の簡単な説明】
【図１】本発明が適用されるアンテナ装置の分解断面図である。
【図２】本発明の一実施の形態に係るブッシングの（ａ）平面図、（ｂ）側面図、及び（ｃ）正面図である。
【図３】（ａ）トップカバーのケーブル経路の大きさと説明するための部分正面図、及び（ｂ）トップカバーにブッシングを取り付けた状態を示す部分断面図である。
【図４】従来のケーブル及びブッシングを説明するための（ａ）概略図、（ｂ）図（ａ）のＡ−Ａ線断面図である。
【符号の説明】
１０      ヘリカルアンテナ
２０      モノポールアンテナ
３０      フェーズシフター基板
３１      シールドカバー
３２      ケーブル
３３      絶縁電線
３４      ブッシング
３５      鍔部
４０      トップカバー
４１      凹部
５０      ゴムパッキン
６０      ボトムカバー
７０      マグネット
８０      ラベル
９０      ネジ
【図１】
0004462398.tif 000002
【図２】
0004462398.tif 000003
【図３】
0004462398.tif 000004
【図４】
0004462398.tif 000005